(57)【特許請求の範囲】
【請求項１】
複数の入力部を有すると共に、前記各入力部が操作されたことを示す操作信号を出力するリモートコントローラと、前記リモートコントローラからの前記操作信号に基づいて運転制御を行う制御装置を設けた複数の室内機と、を備えた空気調和機であって、
前記リモートコントローラは、近接して設置される前記各室内機の中から特定の室内機を動作対象とする号機設定部を有すると共に、前記号機設定部で選択された特定の室内機の号機設定を前記操作信号として室内機へ送信し、
前記制御装置は、前記リモートコントローラからの操作信号を受信し、室内機に設定された号機設定が前記号機設定部で選択された号機設定と一致するか否かを判定すると共に、室内機に設定された号機設定が前記号機設定部で選択された号機設定と号機不一致であると判定した時点から一定時間内に号機設定が異なる操作信号を一定回数以上受信した場合、号機一致時の報知表現とは異なる表現で号機不一致を報知することを特徴とする空気調和機。
【請求項２】
複数の入力部を有すると共に、前記各入力部が操作されたことを示す操作信号を出力するリモートコントローラと、前記リモートコントローラからの前記操作信号に基づいて運転制御を行う制御装置を設けた複数の室内機と、を備えた空気調和機であって、
前記リモートコントローラは、近接して設置される前記各室内機の中から特定の室内機を動作対象とする号機設定部を有すると共に、前記号機設定部で選択された特定の室内機の号機設定を前記操作信号として室内機へ送信し、
前記制御装置は、前記リモートコントローラからの操作信号を受信し、室内機に設定された号機設定が前記号機設定部で選択された号機設定と一致するか否かを判定し、かつ、前記リモートコントローラからの操作信号が前記各入力部内の特定機能の入／切を制御するボタンを操作したときに送信される特定の操作信号であるか否かの判定を行い、室内機に設定された号機設定が前記号機設定部で選択された号機設定と号機不一致であると判定した時点から一定時間内に前記特定の操作信号を一定回数以上受信した場合、号機一致時の報知表現とは異なる表現で号機不一致を報知することを特徴とする空気調和機。
【請求項３】
複数の入力部を有すると共に、前記各入力部が操作されたことを示す操作信号を出力するリモートコントローラと、前記リモートコントローラからの前記操作信号に基づいて運転制御を行う制御装置を設けた複数の室内機と、を備えた空気調和機であって、
前記リモートコントローラは、近接して設置される前記各室内機の中から特定の室内機を動作対象とする号機設定部を有すると共に、前記号機設定部で選択された特定の室内機の号機設定を前記操作信号として室内機へ送信し、
前記制御装置は、
前記リモートコントローラからの操作信号を受信し、室内機に設定された号機設定が前記号機設定部で選択された号機設定と一致するか否かを判定すると共に、号機設定が異なる操作信号を一定時間内に一定回数以上受信した場合、号機一致時の報知表現とは異なる表現で号機不一致を報知する第１の報知動作と、
前記リモートコントローラからの操作信号を受信し、室内機に設定された号機設定が前記号機設定部で選択された号機設定と一致するか否かを判定し、かつ、前記リモートコントローラからの操作信号が前記各入力部内の特定機能の入／切を制御するボタンを操作したときに送信される特定の操作信号であるか否かの判定を行い、室内機に設定された号機設定が前記号機設定部で選択された号機設定と号機不一致であると判定した時点から一定時間内に前記特定の操作信号を一定回数以上受信した場合、号機一致時の報知表現とは異なる表現で号機不一致を報知する第２の報知動作と、を実行可能に構成されていること特徴とする空気調和機。
【請求項４】
前記リモートコントローラは、前記第１の報知動作または前記第２の報知動作を選択する信号を、前記操作信号として室内機へ送信することを特徴とする請求項３に記載の空気調和機。
【請求項５】
前記制御装置は、前記第１の報知動作または前記第２の報知動作を選択することを特徴とする請求項３に記載の空気調和機。
【請求項６】
前記リモートコントローラは、前記号機不一致を報知するか否かを選択する信号を、前記操作信号として室内機へ送信することを特徴とする請求項１〜５の何れか１つに記載の空気調和機。
【請求項７】
前記制御装置は、前記号機不一致を報知するか否かを選択することを特徴とする請求項１〜５の何れか１つに記載の空気調和機。
【発明の詳細な説明】
【技術分野】
【０００１】
本発明は、空気調和機に関する。
【背景技術】
【０００２】
赤外線通信手段を設けた従来の空気調和機は、空気調和機の制御装置とリモートコントローラ（以下「リモコン」と称する）に、号機（号機が一致するリモコンからのみ空気調和機を操作可能とするために、空気調和機とリモコンに設定する番号）設定が可能である。
【０００３】
例えば、下記特許文献１に代表される従来技術は、空気調和機とリモコンの号機違い（号機不一致）をユーザへ報知するため、号機設定違いを判別したときに、表示器や音声出力部を用いて号機違いの旨を報知するように構成されている。号機設定をする目的は、以下の通りである。すなわち、複数台の空気調和機が近接して設置されているような状況において、これらの空気調和機がリモコンから出力された赤外線信号を同時に受信したような場合、この赤外線信号を受信した各空気調和機は同じ運転動作を行うこととなる。号機設定は、このような運転動作を回避して個別の運転操作ができるようにするためのものである。従って、号機設定が必要とされる状況では、リモコンを操作したときに、号機設定が一致して正常に動作する空気調和機と号機設定が一致せずに動作しない空気調和機とが同時に存在する場合が多い。
【先行技術文献】
【特許文献】
【０００４】
【特許文献１】特願平５―１６５６１４号
【発明の概要】
【発明が解決しようとする課題】
【０００５】
しかしながら、上記特許文献１に代表される従来技術には、以下のような課題があった。すなわち、従来技術は、上述したように号機設定違いを判別したときに、表示器や音声によって号機設定違いを報知するように構成されている。この号機設定違いを報知することは、空気調和機やリモコンの故障をユーザが疑う状態の場合（例えば、ユーザが号機設定を間違えた場合、リモコンが入れ替わっていた場合、ユーザが号機設定していることを認識していなかった場合など）においては有効である。しかしながら、従来技術によれば、号機設定が一致する空気調和機と号機設定が一致しない空気調和機とが共存する場合、リモコン操作の度に、号機設定が一致しない空気調和機から号機設定違いが報知されるため、ユーザが煩わしさを感じるという問題点があった。
【０００６】
本発明は、上記に鑑みてなされたものであって、号機設定が一致する空気調和機と号機設定が一致しない空気調和機とが共存する場合において、号機設定違いの報知の煩わしさからユーザを解放することが可能な空気調和機を得ることを目的とする。
【課題を解決するための手段】
【０００７】
上述した課題を解決し、目的を達成するために、本発明は、複数の入力部を有すると共に、前記各入力部が操作されたことを示す操作信号を出力するリモートコントローラと、前記リモートコントローラからの前記操作信号に基づいて運転制御を行う制御装置を設けた複数の室内機と、を備えた空気調和機であって、前記リモートコントローラは、近接して設置される前記各室内機の中から特定の室内機を動作対象とする号機設定部を有すると共に、前記号機設定部で選択された特定の室内機の号機設定を前記操作信号として室内機へ送信し、前記制御装置は、前記リモートコントローラからの操作信号を受信し、室内機に設定された号機設定が前記号機設定部で選択された号機設定と一致するか否かを判定すると共に、号機設定が異なる操作信号を一定時間内に一定回数以上受信した場合、号機一致時の報知表現とは異なる表現で号機不一致を報知することを特徴とする。
【発明の効果】
【０００８】
この発明によれば、号機設定が異なる赤外線信号を一定時間内に一定回数以上受信したときに号機不一致である旨を報知するようにしたので、号機設定違いの報知の煩わしさからユーザを解放することができる、という効果を奏する。
【図面の簡単な説明】
【０００９】
【図１】図１は、この発明の実施の形態１における空気調和機の室内機を示す外観図である。
【図２】図２は、図１に示される室内機の表示部近傍を示す拡大図である。
【図３】図３は、この発明の実施の形態１における空気調和機のリモコンを示す外観図である。
【図４】図４は、この発明の実施の形態１における空気調和機の制御装置を示す回路ブロック図である。
【図５】図５は、この発明の実施の形態１における号機不一致を報知する動作を示すフローチャートである。
【図６】図６は、この発明の実施の形態２における号機不一致を報知する動作を示すフローチャートである。
【発明を実施するための形態】
【００１０】
以下に、本発明にかかる空気調和機の実施の形態を図面に基づいて詳細に説明する。なお、この実施の形態によりこの発明が限定されるものではない。
【００１１】
実施の形態１．
図１は、この発明の実施の形態１における空気調和機の室内機１の外観図であり、図２は、図１に示される室内機１の表示部２近傍の拡大図であり、図３は、この発明の実施の形態１における空気調和機のリモコン１１の外観図である。また、図４は、この発明の実施の形態１における空気調和機の制御装置２０の回路ブロック図であり、図４には制御装置２０の構成要素の一部が示されている。また、図５は、この発明の実施の形態１における号機不一致を報知する動作を示すフローチャートである。なお、以下の説明では符号のないものは図示していないものとする。
【００１２】
図１に示される室内機１には、内外接続配管および内外接続線によって、室外機、冷媒回路、および電気回路が接続されている。この室内機１の正面から見て右下部には、図２に示すように、運転状態等を表示する表示部２と、リモコン１１からの赤外線信号を受光するリモコン受光部３と、スイッチ４とが設けられている。
【００１３】
このスイッチ４には応急運転スイッチ４ａと号機切換スイッチ４ｂとが含まれる。またリモコン受光部３にはリモコン１１から送信された赤外線信号を受信すると共に、この信号を電気信号に変換する受光器が内蔵されている。表示部２には電源ＯＮ／ＯＦＦ状況を示す表示ランプ２ａと運転状態を表す表示ランプ２ｂとが含まれる。
【００１４】
室内機１の内部には、図４に示すように制御装置２０が内蔵されている。この制御装置２０には、商用電源を電源供給源として利用して室内熱交換器で熱交換された空気を室内に送り出すためのファンモータやその風向を変更するステッピングモータを駆動する回路、室外機との通信回路、リモコン受信回路５、スイッチ入力回路６、温度検知回路、表示駆動回路７、ブザー駆動回路８、および運転状態等を報知するブザー９などを有して構成されている。これらの各回路は、プリント配線板上に実装されており、これらの回路と同様にプリント配線板へ実装された制御部であるマイコン１０によって制御される。
【００１５】
図３に示されるリモコン１１は、乾電池（図示せず）を電源として利用しており、リモコン１１には、例えば、液晶表示部１２、赤外線信号を送信するための赤外線送信部１７、および複数の入力部が設けられている。入力部は、例えば、電源入り／切りボタン１３、温度上げ下げボタン１４、近接して設置される複数の室内機１の中から特定の室内機１を動作対象とする号機設定部である室内機設定ボタン１５、およびタイマー時間設定ボタン１６などである。このように構成されたリモコン１１は、各ボタンが操作された際、各ボタンが操作されたことを示す操作信号を赤外線信号として出力する。
【００１６】
なお、以下の説明では、リモコン１１の電源入り／切りボタン１３のように、２値の意味しか持たない特定機能の入／切を制御するボタンを「特定のボタン」と称する。リモコン１１は、複数のボタン内の特定のボタンが操作された場合、特定のボタンの操作信号を赤外線信号として室内機１へ送信する。
【００１７】
次に動作を説明する。ユーザがリモコン１１に設けられた各ボタンを押すことによって、操作されたボタンの種類に応じた赤外線信号が赤外線送信部１７から送信される。室内機１のリモコン受光部３では、リモコン１１から送信された赤外線信号が受信され、リモコン受光部３で受信された赤外線信号は、リモコン受光部３内のリモコン受光器によって電気信号に変換され、リモコン受信回路５を経てマイコン１０へ入力される。リモコン受信回路５からの信号を受信したマイコン１０は、この信号の内容を判別し、その信号に従った運転状態となるように空気調和機を制御する。
【００１８】
ここで、リモコン１１には室内機設定ボタン１５が設けられているため、この室内機設定ボタン１５を押すことによってリモコン１１の号機設定を変更することが可能である。この室内機設定ボタン１５が押された場合、特定の室内機１の号機設定（第１の号機設定）が設定され、リモコン１１の室内機番号表示部１２ａには、その号機が表示される。そして、リモコン１１は、この第１の号機設定を赤外線信号として室内機１へ送信する。
【００１９】
室内機１にも号機切換スイッチ４ｂが設けられており、これを操作することによって、室内機１の号機設定（第２の号機設定）を変更可能である。
【００２０】
なお、実施の形態１にかかるリモコン１１および室内機１は、専用ボタンやスイッチを用いて、第１の号機設定および第２の号機設定の切換を行うように構成されているが、これに限定されるものではない。例えば、リモコン１１に表示されるメニュー設定項目などの中から所望の号機を選択するように構成してもよい。また、室内機設定ボタン１５以外のボタンや号機切換スイッチ４ｂ以外のスイッチを用いて所望の号機を選択するように構成してもよく、例えば、室内機設定ボタン１５以外のボタンを長押し、あるいは室内機設定ボタン１５以外の複数のボタンを同時に押すなどによって、所望の号機を選択するように構成してもよい。号機切換スイッチ４ｂに関しても同様である。その他の例としては、例えば、ジャンパー線をカットする方法もある。さらに、第２の号機設定の方法としては、商用電源投入後に、初めに受信した赤外線信号の送信元であるリモコン１１を、設定号機とする方法もある。
【００２１】
次に、図５を用いてマイコン１０の号機判別、および号機不一致報知の動作を説明する。マイコン１０は、リモコン１１から送信された赤外線信号を受信したとき、この赤外線信号に基づいて、号機が一致している否か判別をする（ステップＳ１）。すなわち、室内機１に設定された第２の号機設定がリモコン１１に設定された第１の号機設定と一致するか否かを判別する。
【００２２】
ステップＳ１において、号機が一致している場合（ステップＳ１，Ｙｅｓ）、マイコン１０は、赤外線信号に応じた通常の処理をする（ステップＳ２）。
【００２３】
ステップＳ１において、号機が一致していない場合（ステップＳ１，Ｎｏ）、マイコン１０は、第２の号機設定が第１の号機設定と不一致になった回数（号機不一致回数）を１インクリメントする（ステップＳ３）。
【００２４】
次に、マイコン１０は、時間を確認して、その時間は一定時間Ａ以内か否かを判別する（ステップＳ４）。この時間Ａは、例えば、ステップＳ３において最初に号機不一致回数がインクリメントされたときからの時間（１０秒、２０秒など）である。すなわち、マイコン１０は、号機不一致回数がインクリメントされたときから一定時間Ａが経過するまでの間に、号機不一致回数がインクリメントされたか否か判定する。
【００２５】
ステップＳ４において、一定時間Ａを超えている場合（ステップＳ４，Ｎｏ）、すなわち一定時間Ａ以内に号機不一致回数がインクリメントされなかった場合、マイコン１０は、時間を０にセットすると共に（ステップＳ５）、号機不一致回数を１にして（ステップＳ６）、赤外線信号の受信待機状態となる。このように、一定時間Ａの経過後に、号機不一致回数を１にすることによって、時間Ａ（例えば１０秒）が経過した直後の時点（例えば１２秒）で号機不一致回数がインクリメントされた場合でも、号機不一致回数が０にリセットされないため、号機不一致回数「１」を有効に利用することが可能である。
【００２６】
ステップＳ４において、一定時間Ａ以内である場合（ステップＳ４，Ｙｅｓ）、すなわち一定時間Ａ以内に号機不一致回数がインクリメントされた場合、マイコン１０は、号機不一致回数が一定回数Ｂ未満であるか否かを判定する（ステップＳ７）。
【００２７】
ステップＳ７において、号機不一致回数が一定回数Ｂ未満の場合（ステップＳ７，Ｎｏ）、マイコン１０は、赤外線信号の受信待機状態となる。
【００２８】
ここで、一定時間Ａと一定回数Ｂは、通常の操作であれば、一定時間Ａ以内に一定回数Ｂ以上の赤外線信号を受信することが少ないと考えられる数値（例えば、１０秒以内に４回など）に設定する。このことにより、通常使用時においてこの条件を満足することは少なく、ユーザは、号機設定違いによる報知を受けることがほとんどなくなる。
【００２９】
しかしながら、ユーザが号機設定違いを認識していない場合には、室内機１がリモコン操作を受け付けないことを不審に思い、複数回のリモコン１１のボタン操作を試みると予想される。
【００３０】
そこで、マイコン１０は、号機不一致回数が一定回数Ｂ以上（例えば、１０秒以内に４回以上）の場合（ステップＳ７，Ｙｅｓ）、号機不一致である旨を外部に報知する第１の報知動作を行う（ステップＳ８）。
【００３１】
ステップＳ８の処理をすることにより、号機不一致回数が一定時間Ａ以内に一定回数Ｂ以上となった場合、マイコン１０は、ユーザがリモコン１１と室内機１との号機不一致に気づいていないと判断し、室内機１の表示部２のＬＥＤを点灯させ、あるいは点滅させることによって、号機不一致である旨を報知する。例えば、室内機１の表示ランプ２ａは、空気調和機の運転動作と連動して、例えば運転中では点灯し停止中では消灯する。号機設定違いを報知する場合、マイコン１０は、号機一致時の報知表現とは異なる表現により（例えば、表示ランプ２ａを点滅させ、あるいはリモコン操作後の一定時間Ａ経過後に表示ランプ２ａを点灯や点滅させることによって）、号機不一致を報知する。このことによって通常の運転動作とは異なることを、ユーザに気づかせることが可能である。
【００３２】
以上に説明したように実施の形態１にかかる空気調和機は、複数のボタン（入力部）を有すると共に、各ボタンが操作されたことを示す赤外線信号（操作信号）を出力するリモコン１１と、リモコン１１からの赤外線信号に基づいて運転制御を行う制御装置２０を設けた室内機１と、を備え、リモコン１１は、近接して設置される複数の室内機１の中から特定の室内機１を動作対象とする室内機設定ボタン１５（号機設定部）を有すると共に、室内機設定ボタン１５で選択された特定の室内機１の号機設定を、赤外線信号として室内機１へ送信し、制御装置２０は、リモコン１１からの赤外線信号を受信し、室内機１に設定された号機設定が室内機設定ボタン１５で選択された号機設定と一致するか否かを判定すると共に、号機設定が異なる赤外線信号を一定時間内に一定回数以上受信した場合、号機一致時の報知表現とは異なる表現で号機不一致を報知するようにしたので、通常操作においては、ユーザに号機不一致が報知されないため、ユーザに煩わしさを与えないと共に、ある一定時間Ａ内にある一定回数Ｂ以上の号機が異なる赤外線信号を受信した場合にはユーザが号機不一致に気づいていないと判断して号機不一致が報知されるため、ユーザに故障ではなく号機設定違いであることを認識させることが可能である。これにより、ユーザ自身でリモコン受信をしない状態から復旧することができ、サービス費用の発生を抑制することができる。
【００３３】
実施の形態２．
実施の形態１にかかる空気調和機は、リモコン１１の全ての操作ボタンに対して号機不一致を報知するように構成されているが、実施の形態２にかかる空気調和機は、特定のボタンが操作されたときに、号機不一致を報知するように構成されている。以下、実施の形態１と同一部分には同一符号を付してその説明を省略し、ここでは異なる部分についてのみ述べる。
【００３４】
図６は、この発明の実施の形態２における号機不一致を報知する動作を示すフローチャートである。
【００３５】
温度上げ／下げボタン１４やタイマー時間設定ボタン１６などは、通常の使用状況であっても連続押し操作（リモコン１１の操作ボタンを短時間で複数回連続的に押す行為）を行なうことがある。例えば、温度上げ／下げボタン１４を１回押すと温度設定が１℃変更できるリモコン１１の場合、温度設定を１０℃変更する場合には１０回連続でボタン操作をすることになる。このボタン操作の度に号機不一致を報知した場合、ユーザは煩わしく感じる可能性が高い。
【００３６】
一方、特定のボタンは、押し間違いなどが無い限り、通常では連続押し操作がされない。そのため、特定のボタンを連続押し操作することは、室内機１がリモコン受信をしていないと推定される。そこで、実施の形態２にかかる制御装置２０は、リモコン１１からの赤外線信号を受信して、室内機１に設定された号機設定が室内機設定ボタン１５で選択された号機設定と一致するか否かを判定し、かつ、リモコン１１からの赤外線信号が各ボタン内の特定のボタンを操作したときに送信される赤外線信号（以下「特定のボタン信号」と称する）であるか否かの判定を行い、特定のボタン信号を一定時間内に一定回数以上受信した場合、号機一致時の報知表現とは異なる表現で号機不一致を報知するように構成されている。
【００３７】
以下、図６を用いて、マイコン１０の号機判別、リモコン１１のボタン判別、および号機不一致の報知の動作を説明する。マイコン１０は、リモコン１１から送信された赤外線信号を受信したとき、この赤外線信号に基づいて、号機が一致している否か判別をする（ステップＳ１）。すなわち、室内機１に設定された第２の号機設定がリモコン１１に設定された第１の号機設定と一致するか否かを判別する。
【００３８】
ステップＳ１において、号機が一致している場合（ステップＳ１，Ｙｅｓ）、マイコン１０は、赤外線信号に応じた通常の処理をする（ステップＳ２）。
【００３９】
ステップＳ１において、号機が一致していない場合（ステップＳ１，Ｎｏ）、マイコン１０は、号機不一致の赤外線信号が特定のボタン信号か否かを判別する（ステップＳ３）。
【００４０】
ステップＳ３において、号機不一致の赤外線信号が特定のボタン信号ではない場合（ステップＳ３，Ｎｏ）、マイコン１０は、赤外線信号の受信待機状態となる。
【００４１】
一方、号機不一致の赤外線信号が特定のボタン信号である場合（ステップＳ３，Ｙｅｓ）、マイコン１０は、第２の号機設定が第１の号機設定と不一致になった回数（号機不一致回数）を１インクリメントする（ステップＳ４）。
【００４２】
次に、マイコン１０は、時間を確認して、その時間は一定時間Ａ以内か否かを判別する（ステップＳ５）。この時間Ａは、例えば、ステップＳ４において最初に号機不一致回数がインクリメントされたときからの時間（１０秒、２０秒など）である。すなわち、マイコン１０は、号機不一致回数がインクリメントされたときから一定時間Ａが経過するまでの間に、号機不一致回数がインクリメントされたか否か判定する。
【００４３】
ステップＳ５において、一定時間Ａを超えている場合（ステップＳ５，Ｎｏ）、すなわち一定時間Ａ以内に号機不一致回数がインクリメントされなかった場合、マイコン１０は、時間を０にセットすると共に（ステップＳ６）、号機不一致回数を１にして（ステップＳ７）、赤外線信号の受信待機状態となる。このように、一定時間Ａの経過後に、号機不一致回数を１にすることによって、時間Ａ（例えば１０秒）が経過した直後の時点（例えば１３秒）で号機不一致回数がインクリメントされた場合でも、号機不一致回数が０にリセットされないため、号機不一致回数「１」を有効に利用することが可能である。
【００４４】
ステップＳ５において、一定時間Ａ以内である場合（ステップＳ５，Ｙｅｓ）、すなわち一定時間Ａ以内に号機不一致回数がインクリメントされた場合、マイコン１０は、号機不一致回数が一定回数Ｂ未満であるか否かを判定する（ステップＳ８）。
【００４５】
ステップＳ８において、号機不一致回数が一定回数Ｂ未満の場合（ステップＳ８，Ｎｏ）、マイコン１０は、赤外線信号の受信待機状態となる。
【００４６】
ここで、一定時間Ａと一定回数Ｂは、実施の形態１と同様に、通常の操作であれば、一定時間Ａ以内に一定回数Ｂ以上の赤外線信号を受信することが少ないと考えられる数値（例えば、１０秒以内に４回など）に設定する。このことにより、通常使用時においてこの条件を満足することは少なく、ユーザは、号機設定違いによる報知を受けることがほとんどなくなる。
【００４７】
しかしながら、ユーザが号機設定違いを認識していない場合には、室内機１がリモコン操作を受け付けないことを不審に思い、複数回のリモコン１１のボタン操作を試みると予想される。
【００４８】
そこで、マイコン１０は、号機不一致回数が一定回数Ｂ以上（例えば、１０秒以内に４回以上）の場合（ステップＳ８，Ｙｅｓ）、号機不一致である旨を外部に報知する第２の報知動作を行う（ステップＳ９）。
【００４９】
ステップＳ９の処理をすることにより、号機不一致回数が一定時間Ａ以内に一定回数Ｂ以上となった場合、マイコン１０は、ユーザがリモコン１１と室内機１の号機不一致に気づいていないと判断し、室内機１の表示部２のＬＥＤを点灯させあるいは点滅させることによって、号機不一致である旨を報知する。例えば、室内機１の表示ランプ２ａは、空気調和機の運転動作と連動して、例えば運転中では点灯し停止中では消灯する。号機設定違いを報知する場合、マイコン１０は、この表示ランプ２ａを点滅させ、あるいはリモコン操作後の一定時間Ａ経過後に表示ランプ２ａを点灯や点滅させることによって、通常の運転動作と異なる報知をしていることをユーザに気づかせることができる。
【００５０】
このように、実施の形態２にかかる空気調和機は、複数のボタン（入力部）を有すると共に、各ボタンが操作されたことを示す赤外線信号（操作信号）を出力するリモコン１１と、リモコン１１からの赤外線信号に基づいて運転制御を行う制御装置２０を設けた室内機１と、を備え、リモコン１１は、近接して設置される複数の室内機１の中から特定の室内機１を動作対象とする室内機設定ボタン１５（号機設定部）を有すると共に、室内機設定ボタン１５で選択された特定の室内機１の号機設定を、赤外線信号として室内機１へ送信し、制御装置２０は、リモコン１１からの赤外線信号を受信して、室内機１に設定された号機設定が室内機設定ボタン１５で選択された号機設定と一致するか否かを判定し、かつ、リモコン１１からの赤外線信号が各ボタン内の特定のボタンを操作したときに送信される赤外線信号であるか否かの判定を行い、この赤外線信号を一定時間内に一定回数以上受信した場合、号機一致時の報知表現とは異なる表現で号機不一致を報知するようにしたので、通常では連続押しをしない特定のボタンが押された場合に限り号機不一致が報知され、通常では連続押しをするボタン操作時には号機不一致が報知されることがない。そのため、ユーザに煩わしさを感じさせることがなくなると共に、号機不一致を報知して欲しいときにのみ報知することができる。
【００５１】
なお、上記説明では、実施の形態１にかかる制御装置２０が図４に示される第１の報知動作を行うように構成され、実施の形態２にかかる制御装置２０が図６に示される第２の報知動作を行うように構成されている例を説明したが、これに限定されるものではなく、制御装置２０は、第１の報知動作と第２の報知動作とを実行可能に構成してもよい。
【００５２】
また、上記説明では、実施の形態１、２にかかる空気調和機が、号機不一致の報知がユーザの好みにかかわらず動作するように構成されている例を説明したが、例えば、ユーザの好みに応じて報知モードを選択できるように、リモコン１１または制御装置２０が、号機不一致を報知するか否かを選択する報知モード選択手段を内蔵するようにしてもよい。以下、報知モード選択手段について、具体的に説明する。
【００５３】
報知モード選択手段の第１の実施列としては、例えば、リモコン１１に報知モード選択手段を内蔵した場合、この報知モード選択手段は、室内機設定ボタン１５が長押しされることによって、報知モードを「報知有り」から「報知無し」に変更し、または報知モードを「報知無し」から「報知有り」に変更する。制御装置２０に報知モード選択手段を内蔵した場合、報知モード選択手段は、室内機設定ボタン１５が長押しされることによって、報知モードを「報知有り」から「報知無し」に変更し、または報知モードを「報知無し」から「報知有り」に変更する。このように、実施の形態１、２にかかる空気調和機は、制御装置２０およびリモコン１１の少なくとも何れか一方に、号機不一致を報知するか否かを選択する報知モード選択手段を含むように構成してもよい。
【００５４】
報知モード選択手段の第２の実施列としては、例えば、リモコン１１に専用のボタンを設けることによって、そのスイッチが押されたときに、報知モードを「報知有り」から「報知無し」に変更し、または報知モードを「報知無し」から「報知有り」に変更するように構成してもよい。室内機１に関しても同様に、室内機１に専用のスイッチを設けることによって、そのスイッチが押されたときに、報知モードを「報知有り」から「報知無し」に変更し、または報知モードを「報知無し」から「報知有り」に変更するように構成してもよい。
【００５５】
報知モード選択手段の第３の実施列としては、例えば、リモコン１１に表示されるメニュー設定項目などの中から報知の有無を選択するように構成してもよい。また、例えば、リモコン１１の室内機設定ボタン１５以外のボタンを長押し、あるいは室内機設定ボタン１５以外の複数のボタンを同時に押すなどによって、報知の有無を選択するように構成してもよい。室内機１側に関しても同様である。
【００５６】
なお、リモコン１１または制御装置２０に内蔵される報知モード選択手段は、初期設定では、号機不一致を報知するモードに設定しておき、ユーザが使用中に号機不一致の報知が煩わしいと感じた場合には、号機不一致を報知しないモードに切り替えることができるように構成してもよい。また、この報知モード選択手段は、初期設定では、号機不一致を報知しないモードに設定しておき、ユーザが号機不一致ではないかを確認したい場合、号機不一致を報知するモードを切り替えることができるように構成してもよい。このように構成した場合、例えば、ユーザが号機不一致に気づかず修理依頼をした場合、サービスマンが号機不一致を確認する手段として使用することも可能である。
【００５７】
報知モード選択手段の第４の実施列としては、実施の形態１にかかる第１の報知動作と実施の形態２にかかる第２の報知動作との何れかを選択するように構成してもよい。
【００５８】
例えば、リモコン１１には、第１の報知動作または第２の報知動作を選択するボタンが搭載され、このボタンが操作された場合、リモコン１１に内蔵される報知モード選択手段が、第１の報知動作または第２の報知動作を選択する選択信号を赤外線信号として室内機１へ送信する。室内機１では、この選択信号に基づいて第１の報知動作と第２の報知動作とを切り替える。
【００５９】
また、室内機１には、第１の報知動作または第２の報知動作を選択するボタンが搭載され、このボタンが操作された場合、制御装置２０に内蔵される報知モード選択手段が、第１の報知動作または第２の報知動作を選択する。
【００６０】
また、この報知モード選択手段は、表示部２とブザー９との何れかを選択するように構成してもよい。
【００６１】
なお、実施の形態１、２にかかる制御装置２０は、運転状態等を表示する表示部２と運転状態等を報知するブザー９との少なくとも何れか一方を備えると共に、表示部２およびブザー９の少なくとも何れか一方を用いて、報知表現を号機一致時の表現と異なる表現で号機不一致の旨を報知するように構成されているので、新たな報知設備を設けることなく号機設定違いの報知を実現できコストアップを抑制することができる。
【００６２】
なお、実施の形態１、２にかかるマイコン１０は、例えばブザー９などを、通常操作時と異なる鳴動時間や鳴動間隔で鳴らし、あるいは鳴動開始までの時間を変更して鳴らすことによって、号機不一致である旨を報知するように構成してもよい。
【００６３】
なお、実施の形態１、２にかかる報知手段として、双方向赤外線通信リモコンを利用し、リモコン１１へ表示させるように構成してもよい。例えば、リモコン１１は、液晶表示部１２の一定箇所を点灯または点滅し、あるいはリモコン１１に内蔵されたブザーを鳴らすことによって、室内機１がリモコン１１からの赤外線信号を受信していることをユーザに通知することができる。そのため、室内機１が赤外線信号を受信できない状態ではないことをユーザに気づかせることができると共に、号機設定違いであることをユーザに認識させることができる。
【００６４】
なお、実施の形態１、２にかかる空気調和機は、本発明の内容の一例を示すものであり、更なる別の公知の技術と組み合わせることも可能であるし、本発明の要旨を逸脱しない範囲で、一部を省略する等、変更して構成することも可能であることは無論である。
【産業上の利用可能性】
【００６５】
以上のように、本発明は、空気調和機に適用可能であり、特に、号機設定が一致する空気調和機と号機設定が一致しない空気調和機とが共存する場合において、号機設定違いの報知の煩わしさからユーザを解放することが可能な発明として有用である。
【符号の説明】
【００６６】
１  室内機
２  表示部
２ａ  表示ランプ（運転ＯＮ／ＯＦＦ）
２ｂ  表示ランプ（運転状態表示）
３  リモコン受光部
４  スイッチ
４ａ  応急運転スイッチ
４ｂ  号機切換スイッチ
５  リモコン受信回路
６  スイッチ入力回路
７  表示駆動回路
８  ブザー駆動回路
９  ブザー
１０  マイコン（制御部）
１１  リモコン
１２  液晶表示部
１２ａ  室内機番号表示部
１３  電源入り／切りボタン
１４  温度上げ／下げボタン
１５  室内機設定ボタン（号機設定部）
１６  タイマー時間設定ボタン
１７  赤外線送信部
２０  制御装置
【図１】
0005611101.tif 000002
【図２】
0005611101.tif 000003
【図３】
0005611101.tif 000004
【図４】
0005611101.tif 000005
【図５】
0005611101.tif 000006
【図６】
0005611101.tif 000007